(57)【要約】  アイアンゴルフクラブヘッド（３０）は、ヘッド部（１０）と、ヘッド部（１０）に貼り付けられたバッジ部（２０）とを備えている。ヘッド部（１０）は、フェース面（１１）と、フェース面（１１）の後方に位置するバック面（１３）とを含んでいる。バック面（１３）の４次の振動モードにおける振幅が最も大きい第１最大振幅領域（２１）および５次の振動モードにおける振幅が最も大きい第２最大振幅領域（２３）の少なくとも一方にバッジ部（２０）が貼り付けられている。これにより、打球音の響き時間の低下を抑制しつつ打球音の音圧を下げることで打球音を向上させて打感を向上することができるアイアンゴルフクラブヘッドおよびアイアンゴルフクラブを得ることができる。
2012133310.tif 000002
【特許請求の範囲】
【請求項１】
ヘッド部（１０）と、
前記ヘッド部（１０）に貼り付けられたバッジ部（２０）とを備え、
前記ヘッド部（１０）は、
フェース面（１１）と、
前記フェース面（１１）の後方に位置するバック面（１３）とを含み、
前記バック面（１３）の４次の振動モードにおける振幅が最も大きい第１最大振幅領域（２１）および５次の振動モードにおける振幅が最も大きい第２最大振幅領域（２３）の少なくとも一方に前記バッジ部（２０）が貼り付けられている、アイアンゴルフクラブヘッド（３０）。
【請求項２】
前記第１最大振幅領域（２１）を規定するようにその周囲に配置され、４次の振動モードにおける振幅が前記第１最大振幅領域（２１）よりも小さい第１小振幅領域（２２）と、
前記第２最大振幅領域（２３）を規定するようにその周囲に配置され、５次の振動モードにおける振幅が前記第２最大振幅領域（２３）よりも小さい第２小振幅領域（２４）とをさらに備え、
前記第１小振幅領域（２２）および前記第２小振幅領域（２４）の少なくとも一方と重ならないように前記バッジ部（２０）が貼り付けられている、請求項１に記載のアイアンゴルフクラブヘッド（３０）。
【請求項３】
前記バッジ部（２０）が貼り付けられた前記バック面（１３）の面積は、前記バック面（１３）全体の面積の３８．６％以上４０．９％以下である、請求項１に記載のアイアンゴルフクラブヘッド（３０）。
【請求項４】
前記ヘッド部（１０）の反発係数は０．８以上である、請求項１に記載のアイアンゴルフクラブヘッド（３０）。
【請求項５】
シャフト（５１）と、
前記シャフト（５１）の一方端に取り付けられたグリップ（５２）と、
前記シャフト（５１）の前記グリップ（５２）と反対側の他方端に取り付けられた請求項１に記載のアイアンゴルフクラブヘッド（３０）とを備えた、アイアンゴルフクラブ（５０）。  
【発明の詳細な説明】
【技術分野】
【０００１】
本発明は、アイアンゴルフクラブヘッドおよびアイアンゴルフクラブに関し、特に、ヘッド部にバッジ部が貼り付けられたアイアンゴルフクラブヘッドおよびアイアンゴルフクラブに関する。
【背景技術】
【０００２】
最近のゴルフクラブにおいては、ウッドゴルフクラブだけではなくアイアンゴルフクラブにおいても高反発化が求められている。アイアンゴルフクラブを高反発化するためにフェースを薄肉にすることが提案されている。フェースを薄肉にするとフェースのたわみが大きくなるため、フェースから発生する打球音が大きくなる。近年の研究において、アイアンゴルフクラブの打感は打球音の影響を受けることが分かっており、打球音が大きくなると打感が低下すると感じるゴルファがあることも分かっている。また、打球音の響き時間が長いと打感が向上し、打球音の響き時間が短いと打感が低下すると感じるゴルファがあることも分かっている。【０００３】
他方、たとえば特開２０１０−１４８５６５号公報（特許文献１）には、被着体がバック面に接着されたゴルフクラブヘッドが開示されている。この被着体は打球時に発生する振動を吸収し得る。この被着体はバック面の平面形状を縮小した形状を有しており、バック面の中央部に接着されている。
【先行技術文献】
【特許文献】
【０００４】
【特許文献１】特開２０１０−１４８５６５号公報
【発明の概要】
【発明が解決しようとする課題】
【０００５】
上記公報のゴルフクラブヘッドでは、被着体がバック面の中央部を大きく覆っているため、打球時に発生する振動が大きく吸収される。これにより、打球音の大きさ（音圧）が大きく低下する。しかしながら、打球音の大きさ（音圧）とともに打球音の響き時間も大きく低下する。したがって、打球音の響き時間が低下するために打感が低下する。【０００６】
本発明は上記課題を鑑みてなされたものであり、その目的は、打球音の響き時間の低下を抑制しつつ打球音の音圧を下げることで打球音を向上させて打感を向上することができるアイアンゴルフクラブヘッドおよびアイアンゴルフクラブを提供することである。
【課題を解決するための手段】
【０００７】
本発明のアイアンゴルフクラブヘッドは、ヘッド部と、ヘッド部に貼り付けられたバッジ部とを備えている。ヘッド部は、フェース面と、フェース面の後方に位置するバック面とを含んでいる。バック面の４次の振動モードにおける振幅が最も大きい第１最大振幅領域および５次の振動モードにおける振幅が最も大きい第２最大振幅領域の少なくとも一方にバッジ部が貼り付けられている。【０００８】
本発明者等が鋭意検討した結果、ヘッド部の４次および５次の振動モードにおける音圧が打感に影響することを見出した。つまり、４次および５次の振動モードにおける音圧を下げると打球音が向上して打感が向上することがわかった。４次および５次の振動モードにおける振幅が最も大きい領域で４次および５次の振動モードにおける音圧は最も大きくなる。そこで、上記のように本発明者等は、バック面の４次の振動モードにおける振幅が最も大きい第１最大振幅領域および５次の振動モードにおける振幅が最も大きい第２最大振幅領域の少なくとも一方にバッジ部が貼り付けられていることによって、ヘッド部の４次および５次の少なくともいずれかの振動モードにおける音圧を下げることで、打球音を向上させて打感を向上することができるという知見を得た。【０００９】
また、バッジ部は、バック面全体のように広いエリアではなく、大きさまたは範囲を特定して貼り付けられているため、打球音の響き時間の低下を抑制することができる。【００１０】
よって、本発明のアイアンゴルフクラブヘッドによれば、打球音の響き時間の低下を抑制しつつ４次および５次の少なくともいずれかの振動モードにおける音圧を下げることで打球音を向上させて打感を向上することができる。【００１１】
上記のアイアンゴルフクラブヘッドでは、好ましくは、第１最大振幅領域を規定するようにその周囲に配置され、４次の振動モードにおける振幅が第１最大振幅領域よりも小さい第１小振幅領域と、第２最大振幅領域を規定するようにその周囲に配置され、５次の振動モードにおける振幅が第２最大振幅領域よりも小さい第２小振幅領域とをさらに備えている。第１小振幅領域および第２小振幅領域の少なくとも一方と重ならないようにバッジ部が貼り付けられている。これにより、不必要に打球音の響き時間が低下することを抑制することができる。つまり、打球音の響き時間の低下を最小化することができる。そのため、打球音の響き時間の低下をさらに効果的に抑制することができる。【００１２】
上記のアイアンゴルフクラブヘッドでは、好ましくは、バッジ部が貼り付けられたバック面の面積は、バック面全体の面積の３８．６％以上４０．９％以下である。これにより、打球音の響き時間の低下をさらに効果的に抑制することができる。【００１３】
上記のアイアンゴルフクラブヘッドでは、好ましくは、ヘッド部の反発係数は０．８以上である。これにより、高反発化を実現しつつ打感を向上することができる。【００１４】
本発明のアイアンゴルフクラブは、シャフトと、シャフトの一方端に取り付けられたグリップと、シャフトのグリップと反対側の他方端に取り付けられた上述のアイアンゴルフクラブヘッドとを備えている。これにより、打球音の響き時間の低下を抑制しつつ４次および５次の少なくともいずれかの振動モードにおける音圧を下げることで打球音を向上させて打感を向上することができるアイアンゴルフクラブを得ることができる。
【発明の効果】
【００１５】
以上説明したように、本発明のアイアンゴルフクラブヘッドおよびアイアンゴルフクラブによれば、打球音の響き時間の低下を抑制しつつ打球音の音圧を下げることで打球音を向上させて打感を向上することができる。
【図面の簡単な説明】
【００１６】
【図１】本発明の一実施の形態におけるアイアンゴルフクラブヘッドの概略背面図である。
【図２】本発明の一実施の形態におけるアイアンゴルフクラブヘッドの概略正面図である。
【図３】本発明の一実施の形態におけるアイアンゴルフクラブの概略正面図である。
【図４】本実施例におけるアイアンゴルフクラブヘッドの１次〜５次の振動モードを示す図であって、１次の振動モードを示す図（Ａ）と、２次の振動モードを示す図（Ｂ）と、３次の振動モードを示す図（Ｃ）と、４次の振動モードを示す図（Ｄ）と、５次の振動モードを示す図（Ｅ）である。
【図５】比較例および本発明例のアイアンゴルフクラブヘッドの概略背面図である。
【図６】比較例Ａ〜Ｂおよび本発明例Ｃ〜Ｆの音圧を示す図である。
【図７】比較例Ａ〜Ｂおよび本発明例Ｃ〜Ｆの響き時間とバッジ部が貼り付けられた面積との関係を示す図である。
【図８】比較例１〜２に対する本発明例１〜４の音圧の割合を示す図である。
【図９】比較例１〜２および本発明例１〜４のＡ補正音圧と響き時間との関係を示す図である。
【発明を実施するための形態】
【００１７】
以下、本発明の一実施の形態について図に基づいて説明する。
最初に本発明の一実施の形態のアイアンゴルフクラブヘッドの構成について説明する。
【００１８】
図１および図２を参照して、アイアンゴルフクラブヘッド３０は、ヘッド部１０と、ヘッド部１０に貼り付けられたバッジ部２０とを主に有している。ヘッド部１０は、打球面であるフェース面１１を有している。フェース面１１に複数の溝部１２が形成されている。複数の溝部（スコアライン）１２は、フェース面１１を縦断する方向に略等間隔で形成されており、フェース面１１を横断する方向に直線状に形成されている。
【００１９】
ヘッド部１０は、シャフトが接続されるホーゼル部も有している。ヘッド部１０は、フェース面１１の周囲に位置するトップエッジ部、トゥ部、ソール部、ヒール部も有している。トップエッジ部はホーゼル部からトゥ部に至るヘッド部１０本体の上端縁部を構成する部分である。ソール部は、ヘッド部１０本体の底部を構成する部分である。トゥ部はホーゼル部から離れた側のトップエッジ部とソール部とを接続する部分である。ヒール部はホーゼル部下端からソール部に至る部分である。
【００２０】
ヘッド部１０は、フェース面１１の後方（背面）に位置するバック面１３を有している。フェース面１１の背面には、その周辺端部を囲むようにキャビティ立ち面１４が形成されており、バック面１３はこのキャビティ立ち面１４に囲まれた領域である。
【００２１】
バッジ部２０は、その大きさまたは範囲を特定してヘッド部１０のバック面１３に貼り付けられている。バッジ部２０の材料としては、アルミニウム、ステンレス、真鍮、ＡＢＳ、ニッケル、マグネシウムなどが適用され得る。バッジ部２０は、たとえばＪＩＳ規格ＳＵＳ３０４を含む素材を用いて作製することができる。バック面１３にバッジ部２０が貼り付けられている。バッジ部２０はバック面１３にたとえば両面テープで貼り付けられていてもよい。バッジ部２０は、バック面１３の４次の振動モードにおける振幅が最も大きい第１最大振幅領域２１に貼り付けられている。
【００２２】
各次の振動モードとは、各次の固有値（固有振動数）における振動モード（固有モード）である。よって、４次の振動モードとは、４次の固有値における振動モードである。振動モードにおける振幅が最も大きい領域が最も大きく振動している。
【００２３】
バッジ部２０は、バック面１３の４次の振動モードにおける振幅が最も大きい第１最大振幅領域２１および５次の振動モードにおける振幅が最も大きい第２最大振幅領域２３（図４（Ｅ）参照）の少なくとも一方に貼り付けられていればよい。
【００２４】
４次の振動モードにおける振幅が第１最大振幅領域２１よりも小さい第１小振幅領域２２が第１最大振幅領域２１を規定するようにその周囲に配置されている。図１中の領域Ｒで示すように、バッジ部２０は、第１小振幅領域２２に重ならないように貼り付けられていることが好ましい。
【００２５】
また、５次の振動モードにおける振幅が第２最大振幅領域２３よりも小さい第２小振幅領域２４（図４（Ｅ）参照）が第２最大振幅領域２３を規定するようにその周囲に配置されている。
【００２６】
バッジ部２０は、第１小振幅領域２２および第２小振幅領域２４の少なくとも一方と重ならないように貼り付けられていればよい。
【００２７】
バッジ部２０が貼り付けられたバック面１３の面積Ａ２は、バック面全体１３の面積Ａ１の３８．６％以上４０．９％以下であってもよい。バック面１３全体の面積Ａ１は、バック面１３においてキャビティ立ち面１４で囲まれた部分の面積である。
【００２８】
ヘッド部１０の反発係数は０．８以上であってもよい。反発係数が０．８以上の場合、ヘッド部１０は高反発である。ここで、反発係数の測定方法について説明する。アイアンゴルフクラブヘッド３０のフェース面１１が地面および衝突させるゴルフボールに対して垂直に向けられた状態で、ゴルフボールがスコアラインの中央またはスイートスポット位置に衝突した際の衝突前のゴルフボールのスピード（Ｖｉｎ）と衝突後のゴルフボールのスピード（Ｖｏｕｔ）とが光学式センサーを有する速度測定器で測定される。Ｖｉｎは、４０．５±０．５ｍ／ｓである。
【００２９】
測定されたＶｉｎおよびＶｏｕｔと、アイアンゴルフクラブヘッド３０の質量Ｍと、ゴルフボールの質量ｍとから次の式（１）により反発係数ＣＯＲが測定される。
【００３０】
Ｖｏｕｔ／Ｖｉｎ＝（ＣＯＲ×Ｍ−ｍ）／（Ｍ＋ｍ）  ・・・（１）
なお、ゴルフボールとしては、ACUSHINET  COMPANYより販売のピナクル・ゴールド（Pinnacle  Gold  LS）が使用される。ゴルフボールの平均重量は４５．４±０．４グラムであり、測定中、ゴルフボールは２３±１℃に保った室内に保管される。
【００３１】
ヘッド部１０は、たとえばＪＩＳ規格Ｓ２５Ｃを含む素材を用いて作製することができる。また、ヘッド部１０の材料としては、ばね鋼、マレージング鋼、ステンレス鋼などが適用され得る。なお、ヘッド部１０は、鍛造により作製することもできる。
【００３２】
また、ヘッド部１０にはめっきが施されていてもよい。めっきは、たとえば、Ｎｉ（ニッケル）−Ｃｒ（クロム）めっきであってもよい。
【００３３】
図３を参照して、アイアンゴルフクラブヘッド３０にシャフト５１およびグリップ５２を組み合わせることでアイアンゴルフクラブ５０が構成される。アイアンゴルフクラブ５０は、シャフトと５１、シャフト５１の一方端に取り付けられたグリップ５２と、シャフト５１のグリップ５２と反対側の他方端に取り付けられたアイアンゴルフクラブヘッド３０とを有している。なお、シャフト５１およびグリップ５２は周知のものを採用可能である。
【００３４】
次に、本発明の一実施の形態の作用効果について説明する。
本発明者等は、バック面１３の４次の振動モードにおける振幅が最も大きい第１最大振幅領域２１および５次の振動モードにおける振幅が最も大きい第２最大振幅領域２３の少なくとも一方にバッジ部２０が貼り付けられていることによって、ヘッド部１０の４次および５次の少なくともいずれかの振動モードにおける音圧を下げることで、打球音を向上させて打感を向上することができるという知見を得た。
【００３５】
また、バッジ部２０は、バック面１３全体のように広いエリアではなく、大きさまたは範囲を特定して貼り付けられているため、打球音の響き時間の低下を抑制することができる。つまり、バッジ部２０が貼り付けられたバック面１３の面積Ａ２の大きさまたは範囲が限定されているので、打球音の響き時間の低下を抑制することができる。
【００３６】
よって、本発明の一実施の形態のアイアンゴルフクラブヘッド３０によれば、打球音の響き時間の低下を抑制しつつ４次および５次の少なくともいずれかの振動モードにおける音圧を下げることで打球音を向上させて打感を向上することができる。
【００３７】
本発明の一実施の形態のアイアンゴルフクラブヘッド３０では、第１小振幅領域２２および第２小振幅領域２４の少なくとも一方と重ならないようにバッジ部２０が貼り付けられていることが好ましい。これにより、不必要に打球音の響き時間が低下することを抑制することができる。つまり、打球音の響き時間の低下を最小化することができる。そのため、打球音の響き時間の低下をさらに効果的に抑制することができる。
【００３８】
本発明の一実施の形態のアイアンゴルフクラブヘッド３０では、バッジ部２０が貼り付けられたバック面１３の面積Ａ２は、バック面１３全体の面積Ａ１の３８．６％以上４０．９％以下であることが好ましい。これにより、打球音の響き時間の低下をさらに効果的に抑制することができる。
【００３９】
本発明の一実施の形態のアイアンゴルフクラブヘッド３０では、ヘッド部１０の反発係数は０．８以上であることが好ましい。これにより、高反発化を実現しつつ打感を向上することができる。
【００４０】
本発明の一実施の形態のアイアンゴルフクラブ５０は、上述のアイアンゴルフクラブヘッド３０を備えていることにより、打球音の響き時間の低下を抑制しつつ４次および５次の少なくともいずれかの振動モードにおける音圧を下げることで打球音を向上させて打感を向上することができるアイアンゴルフクラブ５０を得ることができる。
【実施例】
【００４１】
以下、本発明の実施例について説明する。なお、上記と同一または相当する部分に同一の参照符号を付し、その説明を繰り返さない場合がある。【００４２】
まず、本実施例のアイアンゴルフクラブヘッドの各振動モードについて説明する。
各振動モードは、ＰＴＣ社製の固有値解析ソフトウェアPro/Mechanicaを用いてヘッド単体のフリー状態で解析を行った。また、各次の固有値も上記固有値解析ソフトウェアPro/Mechanicaを用いて解析を行った。各振動モードの凡例レベルは９で表示している。この時、表示される凡例数は１０となる。【００４３】
図４は各次のバック面のみを抽出した振動モードを表す図である。ヘッド全体の振動モードの振幅を１０段階で表し、レベル１、２を小、レベル３を中、レベル４以上を大で表している。バック面においては主にレベル１から４付近が現れる為、上記表示としている。なおヘッド全体の振動モードの最大振幅は主にホーゼル部やトップエッジ部に現れる。よってバック面１３の第１最大振幅領域２１はレベル４以上で表している。またバック面１３の第２最大振幅領域２３も同様にレベル４以上で表している。【００４４】
図４（Ａ）〜（Ｅ）を参照して、本実施例のアイアンゴルフクラブヘッド３０において、バッジ部２０が貼り付けられていない状態の各振動モードを示す。１次〜５次の固有値における振動モードでは、それぞれ腹部と節部とがある。腹部は振幅が最も大きいところであり、節部は最も小さいところである。１次〜５次の固有値における振動モードは、それぞれ異なっているため、腹部および節部の位置はそれぞれ異なっている。【００４５】
本実施例は、フェース肉厚均一のモデルであり、部分肉厚モデルは異なる振動モードになりえるが、肉厚の最大−最小の肉厚差が０．５ｍｍ以下のモデルでは、振動モードがほとんど変わらない。【００４６】
図４（Ａ）を参照して、１次の固有値における振動モードでは、ヘッド部１０のバック面１３において、トップエッジ部とトゥ部との連結部分周辺に腹部が位置している。１次の固有値は２９６９Ｈｚである。【００４７】
図４（Ｂ）を参照して、２次の固有値における振動モードでは、ヘッド部１０のバック面１３において、トップエッジ部のホーゼル部側部分周辺に腹部が位置している。２次の固有値は３９１３Ｈｚである。【００４８】
図４（Ｃ）を参照して、３次の固有値における振動モードでは、ヘッド部１０のバック面１３において、トップエッジ部の中央部分周辺に腹部が位置している。３次の固有値は５５１５Ｈｚである。【００４９】
図４（Ｄ）を参照して、４次の固有値における振動モードでは、ヘッド部１０のバック面１３において、トップエッジ部の中央部分周辺からバック面１３の中央部分に至る領域に腹部が位置している。つまり、第１最大振幅領域２１がトップエッジ部の中央部分周辺からバック面１３の中央部分に至る領域に位置している。第１最大振幅領域（４次最大振幅領域）２１の面積は、略３５０ｍｍ2である。そして、第１最大振幅領域２１を規定するようにその周囲に第１小振幅領域２２が位置している。４次の固有値は６３８８Ｈｚである。【００５０】
図４（Ｅ）を参照して、５次の固有値における振動モードでは、ヘッド部１０のバック面１３において、トップエッジ部のホーゼル部側部分周辺からバック面１３の中央部分に至る領域と、トップエッジ部のトゥ部側部分周辺からバック面１３の中央部分に至る領域とに腹部が位置している。つまり、第２最大振幅領域２３がトップエッジ部のホーゼル部側部分周辺からバック面１３の中央部分に至る領域と、トップエッジ部のトゥ部側部分周辺からバック面１３の中央部分に至る領域とに位置している。第２最大振幅領域（５次最大振幅領域）２３の面積は、合計で略５００ｍｍ2である。そして、第２最大振幅領域２３を規定するようにその周囲に第２小振幅領域２４が位置している。５次の固有値は９７８５Ｈｚである。【００５１】
次に、比較例Ａ、Ｂおよび本発明例Ｃ〜Ｆのアイアンゴルフクラブの音圧および響き時間について説明する。【００５２】
音圧および響き時間の測定は次のように行った。実験室内において振り子式ネジハンマーでスコアラインのソール部側から３本目と４本目との間の打点１５（図２参照）を打撃し、その音を録音した。音圧および響き時間はヘッド単体について測定した。測定器はTASCAM  HD-P2を使用した。ソフトウエアはBruel  &  Kjar  Sound  Quality  Type  7698を使用した。マイクはBruel  &  Kjar  Microphone  Type  4190を使用した。マイク電源はBruel  &  Kjar  Microphone  Type  2804を使用した。キャリブレーターはBruel  &  Kjar  Sound  Level  Calibrator  Type  4231を使用した。打点１５とマイクとの距離は２０ｃｍとし、測定時間は−０．２〜１．８秒とし、窓関数は「Rectangular」とした。ここで瞬時音圧の最大時刻が０秒である。それぞれ３球録音し音圧が中間の値を採用した。響き時間は、音圧が０．０５Ｐａを最後に切るまでの時間で算出した。【００５３】
図５（Ａ）〜（Ｆ）を参照して、比較例Ａ、Ｂおよび本発明例Ｃ〜Ｆのアイアンゴルフクラブヘッド３０の構成について説明する。図５（Ａ）を参照して、比較例Ａのアイアンゴルフクラブヘッド３０ではヘッド部１０のバック面１３にバッジ部２０が貼り付けられていない。一方、図５（Ｂ）〜（Ｆ）を参照して、比較例Ｂおよび本発明例Ｃ〜Ｆのアイアンゴルフクラブヘッド３０では、ヘッド部１０のバック面１３にバッジ部２０が貼り付けられている。【００５４】
図５（Ａ）を参照して、比較例Ａのアイアンゴルフクラブヘッド３０では、ヘッド部１０のバック面１３がバッジ部２０で覆われていない。【００５５】
図５（Ｂ）を参照して、比較例Ｂのアイアンゴルフクラブヘッド３０では、バック面１３の外周形状に沿って、バック面１３の中央側のほぼ全域を覆うようにバッジ部２０が貼り付けられている。バッジ部２０は、バック面１３の大部分を覆うようにバック面１３に貼り付けられている。【００５６】
図５（Ｃ）〜（Ｆ）に示すように、本発明例Ｃ〜Ｆのアイアンゴルフクラブヘッド３０では４次および５次の少なくともいずれかの固有値における振動モードの腹部を覆うようにバッジ部２０が貼り付けられている。【００５７】
図５（Ｃ）を参照して、本発明例Ｃのアイアンゴルフクラブヘッド３０では、４次の固有値の振動モードの腹部を覆うようにバッジ部２０が貼り付けられている。より具体的にはトップエッジ部の中央部分周辺からバック面１３の中央部分に至る領域を覆うようにバッジ部２０が貼り付けられている。バッジ部２０は、トップエッジ部とトゥ部との連結部分には貼り付けられていない。本発明例Ｃのバッジ部２０が第１最大振幅領域（４次最大振幅領域）２１を覆っている面積は、略３００ｍｍ2である。本発明例Ｃのバッジ部２０が第１最大振幅領域（４次最大振幅領域）２１を覆っている面積の割合は、８５．７％である。【００５８】
図５（Ｄ）を参照して、本発明例Ｄのアイアンゴルフクラブヘッド３０では、５次の固有値の振動モードの腹部を覆うようにバッジ部２０が貼り付けられている。より具体的にはトップエッジ部のホーゼル部側部分周辺からバック面１３の中央部分に至る領域と、トップエッジ部のトゥ部側部分周辺からバック面１３の中央部分に至る領域とを覆うようにバッジ部２０が貼り付けられている。本発明例Ｄのバッジ部２０が第２最大振幅領域（５次最大振幅領域）２３を覆っている面積は、略３６０ｍｍ2である。本発明例Ｄのバッジ部２０が第２最大振幅領域（５次最大振幅領域）２３を覆っている面積の割合は、７２．０％である。【００５９】
図５（Ｅ）を参照して、本発明例Ｅのアイアンゴルフクラブヘッド３０では、４次の固有値の振動モードの腹部を覆うようにバッジ部２０が貼り付けられている。より具体的にはバック面１３の中央部分の領域を覆うようにバッジ部２０が貼り付けられている。上記の本発明例Ｃと比較して、本発明例Ｅではバッジ部２０の面積が小さい。本発明例Ｅのバッジ部２０が第１最大振幅領域（４次最大振幅領域）２１を覆っている面積は、略２５０ｍｍ2である。本発明例Ｅのバッジ部２０が第１最大振幅領域（４次最大振幅領域）２１を覆っている面積の割合は、７１．４％である。【００６０】
図５（Ｆ）を参照して、本発明例Ｆのアイアンゴルフクラブヘッド３０では、４次の固有値の振動モードの腹部を覆うようにバッジ部２０が貼り付けられている。より具体的にはトップエッジ部の中央部分周辺からバック面１３の中央部分に至る領域と、バック面１３の中央部分からトゥ部のソール部側部分に至る領域とを覆うようにバッジ部２０が貼り付けられている。上記の本発明例Ｃと比較して、本発明例Ｆではバッジ部２０の面積が小さい。また、上記の本発明例Ｅと比較して、本発明例Ｆではバッジ部２０の面積が大きい。【００６１】
本発明例のバッジ部２０は、第１最大振幅領域（４次最大振幅領域）２１の面積または第２最大振幅領域（５次最大振幅領域）２３の面積の少なくとも７０％を覆っていることが好ましい。本発明例のバッジ部２０は、第１最大振幅領域（４次最大振幅領域）２１の面積または第２最大振幅領域（５次最大振幅領域）２３の面積の少なくとも８５％を覆っていることがさらに好ましい。【００６２】
図６および表１を参照して、本発明例Ｃ、Ｅ、Ｆは、比較例Ａより４次の振動モード（４ｔｈ）の音圧（ｄＢ）が小さくなっている。【００６３】
【表１】
2012133310.tif 000003
【００６４】
本発明例Ｃは、本発明例Ｄより４次の振動モードの音圧が小さくなっている。これより、４次の振動モードの腹部にバッジ部２０を貼り付けることで、４次の振動モードの音圧を特に下げることができることを確認した。また、本発明例Ｅ、Ｆは、本発明例Ｃより音圧が大きくなった。本発明例Ｃ、Ｅ、Ｆでは、比較例Ａの４次の振動モードの音圧と比較したそれぞれの音圧割合（％）は７２．１％以上８４．５％以下となった。【００６５】
また、本発明例Ｄは、比較例Ａより５次の振動モード（５ｔｈ）の音圧が小さくなっている。また本発明例Ｄは、本発明例Ｃ、Ｅ、Ｆより５次の振動モードの音圧が小さくなっている。これより、５次の振動モードの腹部にバッジ部２０を貼り付けることで、５次の振動モードの音圧を特に下げることができることを確認した。本発明例Ｄでは、比較例Ａの５次の振動モードの音圧と比較した音圧割合（％）は、７９．３％となった。【００６６】
図７および表２を参照して、本発明例Ｃ〜Ｆは、比較例Ｂより響き時間（秒）が長くなっている。【００６７】
【表２】
2012133310.tif 000004
【００６８】
これより、本発明例Ｃ〜Ｆは響き時間の低下を抑制できることを確認した。本発明例Ｃ〜Ｆでは、比較例Ａの響き時間と比較したそれぞれの響き時間割合（％）は４９．０％以上７１．３％以下となった。また、本発明例Ｅ、Ｆは、本発明例Ｃより響き時間が長くなっている。これより、バッジ部２０が貼り付けられたバック面１３の面積Ａ２を小さくすることで響き時間を長くすることができることを確認した。【００６９】
以上より、響き時間の低下を抑制するとともに４次または５次少なくともいずれかの振動モードの音圧を下げることができることを確認した。【００７０】
また、図７および表２を参照して、バッジ部２０が貼り付けられたバック面１３の面積Ａ２が８００ｃｍ2で響き時間の減少する割合が低下することが分かった。【００７１】
表３を参照して、４番アイアンゴルフクラブ（♯４）〜９番アイアンゴルフクラブ（♯９）およびピッチングウェッジ（ＰＷ）について、バッジ部２０が貼り付けられたバック面１３の面積Ａ２が８００ｍｍ2となるようにバッジ部２０を貼り付けた。バック面１３全体の面積Ａ１（ｍｍ2）に対するバッジ部２０が貼り付けられたバック面１３の面積Ａ２（ｍｍ2）の割合（Ａ２／Ａ１）は、３８．６％以上４０．９％以下となった。【００７２】
【表３】
2012133310.tif 000005
【００７３】
続いて、４次および５次の振動モードにおける音圧および響き時間の変化についてさらに説明する。【００７４】
以下の本発明例１〜４の値は３回測定した値の平均値である。本発明例１および２は、４次の振動モードの腹部にバッジ部２０が両面テープで貼り付けられている。本発明例１では両面テープの厚さが０．４ｍｍである。本発明例２では両面テープの厚さが０．８ｍｍである。【００７５】
本発明例３および４は、５次の振動モードの腹部にバッジ部２０が両面テープで貼り付けられている。本発明例１では両面テープの厚さが０．４ｍｍである。本発明例２では両面テープの厚さが０．８ｍｍである。【００７６】
図８および表４を参照して、本発明例１〜４の１次〜６次の固有値における振動モードの音圧は、バッジ部２０が貼り付けられていない場合の音圧と比較して低下している。【００７７】
【表４】
2012133310.tif 000006
【００７８】
４次の振動モード（４ｔｈ）では、本発明例１および本発明例２の音圧が特に低下している。これより、４次の振動モードの腹部にバッジ部２０を貼り付けることで、４次の振動モードの音圧を特に下げることができることを確認した。【００７９】
バッジ部２０が貼り付けられていない場合の音圧と比較して、４次の振動モードでは、本発明例１の音圧割合（％）は７５．０％であり、本発明例２の音圧割合（％）は７０．６％である。両面テープの厚さが厚い本発明例２の方が本発明例１より音圧が低下することがわかった。【００８０】
５次の振動モード（５ｔｈ）では、本発明例３および本発明例４の音圧が低下している。これより、５次の振動モードの腹部にバッジ部２０を貼り付けることで、５次の振動モードの音圧を特に下げることができることを確認した。【００８１】
バッジ部２０が貼り付けられていない場合の音圧と比較して、５次の振動モードでは、本発明例４は８２．５％である。両面テープの厚さが厚い本発明例２の方が本発明例１より音圧が低下することがわかった。【００８２】
上記より、４次および５次の振動モードの腹部にバッジ部２０を貼り付けることで、４次および５次の少なくともいずれかの振動モードの音圧を特に下げることができることをさらに詳しく確認した。【００８３】
図９および表５を参照して、本発明例１〜４および比較例１〜２について、４次および５次の振動モードにおけるＡ補正音圧（Ａ−Ｗｅｉｇｈｔ）と響き時間とを説明する。【００８４】
【表５】
2012133310.tif 000007
【００８５】
比較例１は４次の振動モードでの比較例であり、バッジ部２０が貼り付けられていない。本発明例１および本発明例２のバッジ部２０が貼り付けられたバック面１３の面積Ａ２は５５３ｍｍ2である。本発明例１および本発明例２のＡ補正音圧（Ａ−ｗｔ）は、比較例１のＡ補正音圧より低下した。Ａ補正音圧について、本発明例１は６８．５（ｄＢ）であり、本発明例２は６７．０（ｄＢ）である。【００８６】
また響き時間については、本発明例１は０．５７５秒であって比較例１の６３．１％であり、本発明例２は０．４９７秒であって比較例１の５４．６％である。【００８７】
比較例２は５次の振動モードの比較例であり、バッジ部２０が貼り付けられていない。本発明例３および４のバッジ部２０が貼り付けられた面積Ａ２は８２０ｍｍ2である。本発明例３および４のＡ補正音圧は、比較例２のＡ補正音圧より低下した。Ａ補正音圧について、本発明例３は７０．１（ｄＢ）であり、本発明例４は６７．６（ｄＢ）である。【００８８】
また響き時間については、本発明例３は０．６０９秒であって比較例２の５９．３％であり、本発明例４は０．５５３秒であって比較例２の５３．８％である。【００８９】
４次の振動モードの響き音の減少率と５次の振動モードの響き音の減少率はほぼ同等となることがわかった。４次の振動モードおよび５次の振動モードの両方で両面テープが厚い方がＡ補正音圧および響き時間が低下することが分かった。【００９０】
本願発明者等は、上記の効果を確認すべく、４次および５次の振動モードの腹部にバッジ部２０を貼り付けた２種類のアイアンゴルフクラブ５０を作製し、それぞれについて４名の女子プロゴルファによる試打試験を行った。試打試験を行ったすべての女子プロゴルファが上記２種類のアイアンゴルフクラブ５０の打感が良好であると判定した。このことからも、４次および５次の少なくともいずれかの振動モードの腹部にバッジ部２０を貼り付けることにより、打感を向上できることがわかった。【００９１】
今回開示された実施の形態および実施例はすべての点で例示であって制限的なものではないと考えられるべきである。本発明の範囲は上記した説明ではなくて請求の範囲によって示され、請求の範囲と均等の意味および範囲内でのすべての変更が含まれることを意図される。
【産業上の利用可能性】
【００９２】
本発明は、ヘッド部にバッジ部が貼り付けられたアイアンゴルフクラブヘッドおよびアイアンゴルフクラブに特に有利に適用され得る。
【符号の説明】
【００９３】
１０  ヘッド部、１１  フェース面、１２  溝部、１３  バック面、１４  キャビティ立ち面、１５  打点、２０  バッジ部、２１  第１最大振幅領域、２２  第１小振幅領域、２３  第２最大振幅領域、２４  第２小振幅領域、３０  アイアンゴルフクラブヘッド、５０  アイアンゴルフクラブ、５１  シャフト、５２  グリップ、Ａ１  バック面全体の面積、Ａ２  バッジ部が貼り付けられたバック面の面積。
【図１】
2012133310.tif 000008
【図２】
2012133310.tif 000009
【図３】
2012133310.tif 000010
【図４】
2012133310.tif 000011
【図５】
2012133310.tif 000012
【図６】
2012133310.tif 000013
【図７】
2012133310.tif 000014
【図８】
2012133310.tif 000015
【図９】
2012133310.tif 000016
【国際調査報告】
2012133310.tif 000017
2012133310.tif 000018